【手続補正書】
【提出日】平成27年3月9日(2015.3.9)
【手続補正１】
【補正対象書類名】明細書
【補正対象項目名】０００６
【補正方法】変更
【補正の内容】
【０００６】
本発明は、上記目的を達成するため、
被写体を追尾する追尾手段と、
この追尾手段により追尾されている被写体の逐次変化する移動速度と移動方向とを逐次検出する移動状態検出手段と、
前記追尾手段により追尾されている前記被写体が表示部から外れたか否かを検出する表示外検出手段と、
この表示外検出手段により前記被写体が前記表示部から外れたことを検出した際に、前記移動状態検出手段により検出されていた前記被写体の直前の移動速度を示し、かつ、前記被写体の直前の移動方向を示す表示情報を前記表示部に表示させる表示制御手段と、
を備えていることを特徴とする被写体追尾表示制御装置である。
【手続補正２】
【補正対象書類名】明細書
【補正対象項目名】０００７
【補正方法】変更
【補正の内容】
【０００７】
また、本発明は、
被写体を追尾する追尾手段と、
この追尾手段により追尾されている被写体の逐次変化する移動速度と移動方向とを逐次検出する移動状態検出手段と、
前記移動状態検出手段により逐次検出されている、前記被写体の逐次変化する移動速度と移動方向とに基づき、前記追尾手段により追尾されている当該被写体が表示部から外れる直前であるのか否かを検出する直前表示外検出手段と、
前記直前表示外検出手段により前記被写体が前記表示部から外れる直前であることを検出した際は、前記表示部を広角ズームに変更させる表示制御手段と、
を備えていることを特徴とする被写体追尾表示制御装置である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、本発明の被写体追尾表示制御方法は、
被写体を追尾する追尾処理と、
この追尾処理により追尾されている被写体の逐次変化する移動速度と移動方向とを逐次検出する移動状態検出処理と、
前記追尾処理により追尾されている前記被写体が表示部から外れたか否かを検出する表示外検出処理と、
この表示外検出処理により前記被写体が前記表示部から外れたことを検出した際に、前記移動状態検出処理により検出されていた前記被写体の直前の移動速度を示し、かつ、前記被写体の直前の移動方向を示す表示情報を前記表示部に表示させる表示制御処理と、
を有することを特徴とする。
【手続補正５】
【補正対象書類名】明細書
【補正対象項目名】００１０
【補正方法】変更
【補正の内容】
【００１０】
また、本発明のプログラムは、
被写体追尾表示制御装置のコンピュータに、
被写体を追尾する追尾機能、
この追尾機能により追尾されている被写体の逐次変化する移動速度と移動方向とを逐次検出する移動状態検出機能、
前記追尾機能により追尾されている前記被写体が表示部から外れたか否かを検出する表示外検出機能、
この表示外検出機能により前記被写体が前記表示部から外れたことを検出した際に、前記移動状態検出機能により検出されていた前記被写体の直前の移動速度を示し、かつ、前記被写体の直前の移動方向を示す表示情報を前記表示部に表示させる表示制御機能、
を実現させることを特徴とする。
【手続補正６】
【補正対象書類名】特許請求の範囲
【補正対象項目名】全文
【補正方法】変更
【補正の内容】
【特許請求の範囲】
【請求項１】
被写体を追尾する追尾手段と、
この追尾手段により追尾されている被写体の逐次変化する移動速度と移動方向とを逐次検出する移動状態検出手段と、
前記追尾手段により追尾されている前記被写体が表示部から外れたか否かを検出する表示外検出手段と、
この表示外検出手段により前記被写体が前記表示部から外れたことを検出した際に、前記移動状態検出手段により検出されていた前記被写体の直前の移動速度を示し、かつ、前記被写体の直前の移動方向を示す表示情報を前記表示部に表示させる表示制御手段と、
を備えていることを特徴とする被写体追尾表示制御装置。
【請求項２】
被写体を追尾する追尾手段と、
この追尾手段により追尾されている被写体の逐次変化する移動速度と移動方向とを逐次検出する移動状態検出手段と、
前記移動状態検出手段により逐次検出されている、前記被写体の逐次変化する移動速度と移動方向とに基づき、前記追尾手段により追尾されている当該被写体が表示部から外れる直前であるのか否かを検出する直前表示外検出手段と、
前記直前表示外検出手段により前記被写体が前記表示部から外れる直前であることを検出した際は、前記表示部を広角ズームに変更させる表示制御手段と、
を備えていることを特徴とする被写体追尾表示制御装置。
【請求項３】
前記追尾手段により追尾されている前記被写体が表示部から外れたか否かを検出する表示外検出手段を更に備え、
前記表示制御手段は、
前記表示部を広角ズームに変更させた後、前記表示外検出手段により前記被写体が前記表示部から外れたことを検出した際に、前記移動状態検出手段により検出されていた前記被写体の直前の移動速度を示し、かつ、前記被写体の直前の移動方向を示す表示情報を前記表示部に表示させる
ことを特徴とする請求項２に記載の被写体追尾表示制御装置。
【請求項４】
前記直前表示外検出手段は、前記表示制御手段が前記表示部を広角ズームに変更させる前の状態で、前記移動状態検出手段により逐次検出されている逐次変化する前記被写体の移動速度と移動方向とに基づき、前記追尾手段により追尾されている前記被写体が前記表示部から外れる直前であるのか否かを検出し、
前記表示外検出手段は、前記表示制御手段が前記表示部を広角ズームに変更させた後の状態で、前記追尾手段により追尾されている前記被写体が前記表示部から外れたか否かを検出する
ことを特徴とする請求項３に記載の被写体追尾表示制御装置。
【請求項５】
所定の周期で画像を取得する撮像手段を更に備え、
前記移動状態検出手段は、前記撮像手段により取得される連続する複数の画像から前記被写体の逐次変化する移動速度と移動方向とを逐次検出する
ことを特徴とする請求項１乃至４のいずれか一項に記載の被写体追尾表示制御装置。
【請求項６】
前記表示情報は、前記移動状態検出手段により検出されていた前記被写体の直前の移動速度に対応した長さを示し、かつ、前記被写体の直前の移動方向の向きを示す矢印であることを特徴とする請求項１又は３に記載の被写体追尾表示制御装置。
【請求項７】
被写体を追尾する追尾処理と、
この追尾処理により追尾されている被写体の逐次変化する移動速度と移動方向とを逐次検出する移動状態検出処理と、
前記追尾処理により追尾されている前記被写体が表示部から外れたか否かを検出する表示外検出処理と、
この表示外検出処理により前記被写体が前記表示部から外れたことを検出した際に、前記移動状態検出処理により検出されていた前記被写体の直前の移動速度を示し、かつ、前記被写体の直前の移動方向を示す表示情報を前記表示部に表示させる表示制御処理と、
を有することを特徴とする被写体追尾表示制御方法。
【請求項８】
被写体追尾表示制御装置のコンピュータに、
被写体を追尾する追尾機能、
この追尾機能により追尾されている被写体の逐次変化する移動速度と移動方向とを逐次検出する移動状態検出機能、
前記追尾機能により追尾されている前記被写体が表示部から外れたか否かを検出する表示外検出機能、
この表示外検出機能により前記被写体が前記表示部から外れたことを検出した際に、前記移動状態検出機能により検出されていた前記被写体の直前の移動速度を示し、かつ、前記被写体の直前の移動方向を示す表示情報を前記表示部に表示させる表示制御機能、
を実現させることを特徴とするプログラム。